(57)【要約】【課題】接触式イメージセンサとホワイトローラとの間に均一な密着力を維持し安定した読取位置を保持することができる接触式イメージセンサ取付装置を提供する。【解決手段】事務用機器のフレームと，原稿読取機能を有する接触式イメージセンサがホワイトローラについて一定圧力で接触して接触式イメージセンサを弾性的に加圧するようフレームに設けられた弾性部と，この弾性部によりフレームに弾性的に支持された接触式イメージセンサを収容および支持するホルダ部と，及び接触式イメージセンサの両端部が自由に変位できるようにホルダ部をフレームに取付けるヒンジ部とを備える接触イメージセンサ取付装置において，接触式イメージセンサに対して作用する弾性部の弾性力に対抗してホルダ部の位置を自由に変更可能とするホルダ部流動装置が前記フレーム及び前記ホルダ部の間に設けられていることを特徴とする。【選択図】　図５
2004007645.tif 000002
【特許請求の範囲】
【請求項１】
事務用機器のフレームと，原稿読取機能を有する接触式イメージセンサがホワイトローラについて一定圧力で接触して前記接触式イメージセンサを加圧するように前記フレームに設けられた弾性部と，及び前記弾性部により前記フレームに弾持された前記接触式イメージセンサを収容及び支持するホルダ部とを備える接触式イメージセンサ取付装置において，
前記接触式イメージセンサに対して作用する前記弾性部の弾性力に対抗して前記ホルダ部の位置を自由に変更可能とするホルダ部流動装置が前記フレーム及び前記ホルダ部の間に設けられていることを特徴とする，事務用機器の接触式イメージセンサ取付装置。
【請求項２】
前記ホルダ部流動装置は，
ヒンジブラケットと，
該ヒンジブラケットの一端部及び対応する前記ホルダ部の部分に形成され，前記ホルダ部が前記弾性部に対抗して弾性的に変位される時に前記ホルダ部を一定範囲に変位できるように支持するための流動ヒンジと，
前記ヒンジブラケットの他端部及び対応する前記フレームの部分に形成され，前記流動ヒンジに支持された前記ホルダ部が前記流動ヒンジの変位範囲以上に回動できるように前記ヒンジブラケットの前記他端部を前記フレームにヒンジ式で固定するための固定ヒンジとを備えることを特徴とする，請求項１に記載の事務用機器の接触式イメージセンサ取付装置。
【請求項３】
前記流動ヒンジは，
前記ヒンジブラケットの前記一端部及び対応する前記ホルダ部の前記部分のうち一カ所に形成された，前記ホルダ部を回動させるための流動ヒンジ軸と，
前記ヒンジブラケットの前記一端部及び対応する前記ホルダ部の前記部分のうち他の一カ所に形成された，前記流動ヒンジ軸を一定範囲に変位できるよう支持するための流動ヒンジ軸収容ホールとを備えることを特徴とする，請求項２に記載の事務用機器の接触式イメージセンサ取付装置。
【請求項４】
前記固定ヒンジは，
前記ヒンジブラケットの前記他端部及び対応する前記フレームの前記部分のうち一カ所に形成された，前記ヒンジブラケットを回動させるための固定ヒンジ軸と，
前記ヒンジブラケットの前記他端部及び対応する前記フレームの前記部分のうち他の一カ所に形成された，前記固定ヒンジ軸を支持するための固定ヒンジ軸収容ホールとを備えることを特徴とする，請求項３に記載の事務用機器の接触式イメージセンサ取付装置。
【請求項５】
前記ホルダ部は，前記接触式イメージセンサの両端部をそれぞれ収容するよう設けられた二つのホルダを備え，前記ホルダ部流動手段は，それぞれの前記ホルダについて設けられることを特徴とする，請求項４に記載の事務用機器の接触式イメージセンサ取付装置。
【請求項６】
前記ホルダは，該ホルダに形成されたフック部材，及び前記接触式イメージセンサに形成されたフック部材収容溝で構成された固定部により前記接触式イメージセンサの端部を固定することを特徴とする，請求項５に記載の事務用機器の接触式イメージセンサ取付装置。
【発明の詳細な説明】
【０００１】
【発明が属する技術分野】
本発明は，スキャニング装置で原稿読取機能を行なうために接触式イメージセンサを使用するファクシミリ，複合機等の事務用機器に係り，さらに詳しくは接触式イメージセンサとホワイトローラとの密着力を均一に維持して読取画像品質を向上させることの可能な事務用機器の接触式イメージセンサ取付装置に関する。
【０００２】
【従来の技術】
一般に，ファクシミリ，複合機等の事務用機器は，原稿に記録されたデータをスキャニングするスキャニング装置と，スキャニングされたデータを通信回線を介して送信，または受信するファクシミリ装置と，及びスキャニングされたデータ，通信回線を介して受信されたデータ，またはコンピュータから入力されるデータを用紙に印刷して出力するプリント装置とを備える。このような事務用機器の構成要素のうち，スキャニング装置は，原稿に記録されたデータを送信し，このデータを用紙に印刷して出力するために必須の装置である。
【０００３】
まず，従来のスキャニング装置の構成について図面を用いて説明する。図１は，ファクシミリ，複合機等の事務用機器に適用される一般のスキャニング装置の構成の概略を示す図であり，図２は，従来のスキャニング装置に備わる接触式イメージセンサ取付装置を用いて接触式イメージセンサをつりつけた状態を示す図であり，図３は，図２のＡ−Ａ間の側断面図である。
【０００４】
図１に示すように，スキャニング装置１０は，機器の内部上側に形成され原稿Ｄを自動に搬送する原稿自動搬送部１３と，この原稿自動搬送部１３により搬送される原稿Ｄからデータを読取るスキャナ１８と，このスキャナ１８に原稿Ｄを接触させるためのホワイトローラ１９と，及びスキャナ１８とホワイトローラ１９を通過した原稿Ｄを機器の外部に最終的に排出させる排出部２１とを備える。
【０００５】
スキャニング装置１０の内部に原稿Ｄを供給する原稿自動搬送部１３は，原稿Ｄが積載される原稿給紙台１５と，原稿Ｄの積載有無を感知する原稿積載有無感知部１と，原稿積載有無感知部１の動作によって原稿Ｄをピックアップするピックアップローラ１４と，このピックアップローラ１４と所定圧力で接触され摩擦力により原稿Ｄを一枚ずつ分離させる摩擦パッド１６と，及びスキャナ１８側に原稿Ｄを搬送させる供給ローラ１４’とを備える。
【０００６】
スキャナ１８は，供給ローラ１４’の回転力によりホワイトローラ１９に搬送されてきた原稿Ｄからデータを読取る接触式イメージセンサ２３を備える。
【０００７】
図２及び図３に示すように，接触式イメージセンサ２３は，接触式イメージセンサ取付装置３０，３０’により機器のフレーム２５に固定される。
【０００８】
接触式イメージセンサ取付装置３０，３０’は，接触式イメージセンサ２３の左右バランスを取らせ，円滑な読取機能が果たせるよう接触式イメージセンサ２３を収容及び支持するためのホルダ３２，３２’，フレーム２５に形成されたヒンジ軸収容ホール３４，３４’に収容及び支持されるように各ホルダ３２，３２’に設けられ，ホルダ３２を回動可能に支持するヒンジ軸３３，３３’，及び接触式イメージセンサ２３の感知ガラス面がホワイトローラ１９の表面と接触するよう接触式イメージセンサ２３を上向きに加圧するよう接触式イメージセンサ２３の下側でフレーム２５のバネシート３６，３６’に設けられた弾性バネ３５，３５’を備える。
【０００９】
ホルダ３２，３２’は、それぞれ接触式イメージセンサ２３の左右端部を取付けるために接触式イメージセンサ２３に形成されたフック部材収容溝４２，４２’と結合されるフック部材４１，４１’を備える。
【００１０】
このように構成された従来のスキャニング装置１０の作用を図１，図２及び図３を用いて説明する。
【００１１】
まず，原稿Ｄを転送または複写するため，原稿Ｄを原稿給紙台１５に積載ることにより，原稿Ｄは，自重により下方に滑り降りて原稿積載有無感知部１を動作させ，制御部は，駆動モータ（図示せず）に電源を印加してピックアップローラ１４を回転させる。
【００１２】
従って，ピックアップローラ１４は，摩擦パッド１６との摩擦力により原稿Ｄを一枚ずつ分離させ原稿進入感知センサ１７まで搬送させる。この状態で使用者が転送または複写のために事務用機器のスタートボタンを押えれば再び駆動モータが駆動され，これにより供給ローラ１４’は，原稿Ｄをスキャナ１８側に搬送させる。
【００１３】
その後，原稿Ｄが供給ローラ１４’により，スキャナ１８とホワイトローラ１９との間を通過する際，スキャナ１８は，原稿Ｄからデータを読取る。
【００１４】
この際，スキャナ１８の接触式イメージセンサ２３は，ホワイトローラ１９と接触しつつ発光体を通して光を放出し，ホワイトローラ１９により搬送される原稿Ｄから反射された光を光センサで読み出して画像処理回路（図示せず）に出力する。
【００１５】
画像処理回路は，接触式イメージセンサ２３から出力されたデータを，原稿Ｄが搬送されてくる前に接触式イメージセンサ２３が発光体を通してホワイトローラ１９に放出した後に，反射された光を光センサで読み出して出力した基準データと比較してシェーディング補正を進めた後，補正されたデータをコーディング（ｃｏｒｄｉｎｇ）及び圧縮処理して送信または印刷のためにファクシミリ装置またはプリント装置に送信する。
【００１６】
このように接触式イメージセンサ２３が原稿Ｄのデータに対する読取を完了すれば，原稿Ｄは，排出部２１により機器の外部に排出される。
【００１７】
【発明が解決しようとする課題】
このようなスキャニング装置１０において，原稿がスキャナ１８に搬送されながらデータが読取られるため，原稿Ｄからデータを正確に読取るためには，接触式イメージセンサ２３の装着位置が正確でなければならない。すなわち，接触式イメージセンサ２３は，感知ガラス面が曲線形態のホワイトローラ１９の表面と平行に線接触されるよう設けられるべきである。
【００１８】
しかしながら，従来の接触式イメージセンサ取付装置３０，３０’は，接触式イメージセンサ２３がホワイトローラ１９に接触するようホルダ２３，２３’のヒンジ軸３３，３３’及びフレーム２５のヒンジ軸収容ホール３４，３４’によりヒンジ式で回動できるようだけ固定されるので，ホルダ３２，３２’に固定される接触式イメージセンサ２３の感知ガラス面の平坦度，ホルダ３２，３２’のヒンジ軸３３，３３’の位置精度，フレーム２５のヒンジ軸収容ホール３４，３４’の精度などの加工及び組立変数により接触式イメージセンサ２３の感知ガラス面とホワイトローラ１９との間に働く左右圧力が不均一になる問題点があった。
【００１９】
以上のように接触式イメージセンサ２３の感知ガラス面とホワイトローラ１９との間に働く左右圧力が不均一になる場合，接触式イメージセンサ２３とホワイトローラ１９の表面が互いに平行に線接触できなくなって接触式イメージセンサ２３の読取ラインがホワイトローラ１９の表面と平行にならず，よって各位置で発光体から放出された光による光センサのホワイトローラ読取位置と原稿読取位置が相違なので読取られた原稿のデータ補正が不均一になる。
【００２０】
また，接触式イメージセンサ２３の感知ガラス面とホワイトローラ１９との間に働く左右圧力が不均一になる場合，ホワイトローラ１９が原稿Ｄを搬送する際，原稿Ｄが斜め給紙またはスキュー（ｓｋｅｗ）され接触式イメージセンサ２３が原稿Ｄからデータを正確に読取できなくなる問題点が発生する。
【００２１】
本発明は，従来の事務用機器の接触式イメージセンサ取付装置が有する上記問題点に鑑みてなされたものであり，その目的は接触式イメージセンサについて働く弾性部の弾性力に対抗してホルダ部が自由に変位できるようにするためのホルダ部流動部を設けて，接触式イメージセンサとホワイトローラとの均一な密着力を維持し安定した読取位置を保持することができる事務用機器の接触式イメージセンサ取付装置を提供するところにある。
【００２２】
【課題を解決するための手段】
上記課題を解決するため，本発明の第１の観点によれば，ファクシミリ装置等の事務用機器のフレームと，原稿読取機能を有する接触式イメージセンサがホワイトローラについて一定圧力で接触して接触式イメージセンサを弾性的に加圧するようフレームに設けられた弾性部と，及びこの弾性部によりフレームに弾持された接触式イメージセンサを収容及び支持するホルダ部とを備える接触式イメージセンサ取付装置において，この接触式イメージセンサがホワイトローラの回転力を受ける時，ホワイトローラと接触式イメージセンサとの間に働く圧力を均一に維持するため，接触式イメージセンサに対して作用するついて働く弾性部の弾性力に対抗してホルダ部が自由に変位できるようにするためのホルダ部流動装置がフレーム及びホルダ部の間に設けられていることを特徴とする事務用機器の接触式イメージセンサ取付装置が提供される。
【００２３】
このとき，ホルダ部流動装置は，ヒンジブラケットと，このヒンジブラケットの一端部及び対応するホルダ部の部分に形成されホルダ部が弾性部に対抗して弾性的に変位される時にホルダ部を一定範囲に変位できるよう支持するための流動ヒンジと，及びヒンジブラケットの他端部及び対応するフレームの部分に形成され流動ヒンジに支持されたホルダ部が流動ヒンジの変位範囲以上に回動できるようヒンジブラケットの他端部をフレームにヒンジ式で固定するための固定ヒンジとを備えることとしてもよい。
【００２４】
また，このとき，流動ヒンジは，ヒンジブラケットの一端部及び対応するホルダ部の部分のうち一カ所に形成された，ホルダ部を流動させるための流動ヒンジ軸，及びヒンジブラケットの一端部及び対応するホルダ部の部分のうち他の一カ所に形成された，流動ヒンジ軸を一定範囲に変位できるよう支持するための流動ヒンジ軸収容ホールより構成されることとしてもよい。
【００２５】
さらに，このとき，固定ヒンジは，ヒンジブラケットの他端部及び対応するフレームの部分のうち一カ所に形成された，ヒンジブラケットを回動させるための固定ヒンジ軸，及びヒンジブラケットの他端部及び対応するフレームの部分のうち他の一カ所に形成された，固定ヒンジ軸を支持するための固定ヒンジ軸収容ホールより構成されることとしてもよい。
【００２６】
また，このとき，ホルダ部は，接触式イメージセンサの両端部をそれぞれ収容するよう設けられた二つのホルダで構成され，ホルダ部流動手段は，それぞれのホルダについて設けられ，それぞれのホルダは，このホルダに形成されたフック部材，及び接触式イメージセンサに形成されたフック部材収容溝で構成された固定部により接触式イメージセンサの端部を固定することとしてもよい。
【００２７】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
まず，本発明の第１の実施の形態の事務用機器の接触式イメージセンサ取付装置の構成について説明する。図４は，本発明の第１の実施の形態による接触式イメージセンサ取付装置を使って接触式イメージセンサを取付けた状態を例示する平面図であり，図５は，図４の線Ｂ−Ｂに沿って取った側断面図である。
【００２９】
図４及び図５に示すように，ファクシミリ装置のような事務用機器のスキャニング装置で原稿Ｄからデータを読取るために使用される接触式イメージセンサ１２３は，本実施形態に係る接触式イメージセンサ取付装置１３０，１３０’を用いてホワイトローラ１１９と密着するよう事務用機器に取付けられる。
【００３０】
本実施形態に係る接触式イメージセンサ取付装置１３０，１３０’は，形態のフレーム１２５，接触式イメージセンサ１２３がホワイトローラ１１９について一定圧力で接触するよう接触式イメージセンサ１２３を弾性的に加圧する弾性部１４５，１４５’，弾性部１４５，１４５’によりフレーム１２５に弾性的に支持された接触式イメージセンサ１２３を収容及び支持するホルダ部１３１，１３１’，及び接触式イメージセンサ１２３の両端部が自由に変位できるようホルダ部１３１，１３１’をフレーム１２５に取付けるヒンジ部１３２，
１３２’を備える。
【００３１】
フレーム１２５は，ホワイトローラ１１９の軸１２０，１２０’を回動支持する軸支持開口１２１，１２１’を有する第１及び第２側壁１２６，１２６’，及び弾性部１４５，１４５’を支持するバネシート１４６，１４６’を所定間隔開けて形成した底部１２７を備える。
【００３２】
弾性部１４５，１４５’は，フレーム１２５の底部１２７に形成されたバネシート１４６，１４６’にそれぞれ支持され，接触式イメージセンサ１２３をホワイトローラ１１９について弾性的に加圧する第１及び第２弾性バネより形成される。
【００３３】
ホルダ部１３１，１３１’は，接触式イメージセンサ１２３の左右端部をそれぞれ収容するよう設けられた第１及び第２ホルダから構成される。第１及び第２ホルダ１３１，１３１’は，それぞれホルダに形成されたフック部材１４１，１４１’，及び接触式イメージセンサ１２３にフック部材１４１，１４１’と対応して形成されたフック部材収容溝１４２，１４１’で構成された固定部により接触式イメージセンサ１２３の左右端部を固定している。
【００３４】
第１及び第２ホルダ流動装置１３２，１３２’は，第１及び第２ホルダ１３１，１３１’が第１及び第２弾性バネ１４５，１４５’により弾性的に変位される時に，第１及び第２ホルダ１３１，１３１’を一定範囲に変位できるようフレーム１２５の第１及び第２側壁１２６，１２６’に第１及び第２ホルダ１３１，１３１’をそれぞれ固定するためのヒンジ部から構成される。
【００３５】
接触式イメージセンサ１２３の一端部，例えば右側端部に設けられた第１ホルダ１３１を第１側壁１２６にヒンジ式で固定するための第１ホルダ流動装置１３２は，扇形の第１ヒンジブラケット１４０と，扇形の円弧部を構成する第１ヒンジブラケット１４０の一端部及び対応する第１ホルダ１３１の部分に形成され，第１ホルダ１３１が第１弾性バネ１４５に対抗して弾性的に変位される時に，第１ホルダ１３１を一定範囲に変位できるよう支持するための流動ヒンジ１３３と，及び扇形の軸を構成する第１ヒンジブラケット１４０の他端部及び対応するフレーム１２５の第１側壁１２６に形成され，流動ヒンジ１３３に支持された第１ホルダ１３１が流動ヒンジ１３３の変位範囲以上に回動できるように第１ヒンジブラケット１４０の他端部をフレーム１２５の第１側壁１２６にヒンジ式で固定するための固定ヒンジ１３６とを備える。
【００３６】
流動ヒンジ１３３は，第１ヒンジブラケット１４０の一端部と対応する第１ホルダ１３１の部分に形成され第１ホルダ１３１を回動させるための流動ヒンジ軸１３５と，及び第１ヒンジブラケット１４０の一端部に形成され，流動ヒンジ軸１３５を一定範囲に変位できるよう支持するための円弧状の流動ヒンジ軸収容ホール１３９とを備える。この流動ヒンジ軸１３５は，流動ヒンジ軸収容ホール１３９から離脱されないよう流動ヒンジ軸収容ホール１３９について横設された離脱防止かけ１３４を上端に設けている。
【００３７】
また，固定ヒンジ１３６は，第１ヒンジブラケット１４０の他端部に形成され，第１ヒンジブラケット１４０を回動させるための固定ヒンジ軸１３７と，及びフレーム１２５の第１側壁１２６に形成され固定ヒンジ軸１３７を支持するための固定ヒンジ軸収容ホール１３８とを備える。
【００３８】
第２ホルダ１３１’を第２側壁１２６’にヒンジ式で固定するための第２ホルダ流動装置１３２’は，接触式イメージセンサ１２３の他端部，すなわち左側端部に設けられた第２ホルダ１３１’と第２側壁１２６’について設けられるという点を除けば第１ホルダ流動装置１３２の構成と同様である。
【００３９】
このように本発明の本実施形態に係る接触式イメージセンサ取付装置１３０，１３０’の第１及び第２ホルダ流動装置１３２，１３２’は，流動及び固定ヒンジ１３３，１３３’；１３６，１３６’を通して接触式イメージセンサ１２３について働く第１及び第２弾性バネ１４５，１４５’の弾性力に対抗して第１及び第２ホルダ１３１，１３１’を自由に変位可能にするので，接触式イメージセンサ１２３がホワイトローラ１１９の回転力を受ける時に，ホワイトローラ１１９と接触式イメージセンサ１２３の左右端部間に働く圧力は，均一に維持される。
【００４０】
また，接触式イメージセンサ取付装置１３０，１３０’の製作及び接触式イメージセンサ１２３を取付ける時，接触式イメージセンサ１２３の感知ガラス面の平坦度，第１及び第２ホルダ１３１，１３１’の流動ヒンジ軸１３５，１３５’の位置精度，フレーム１２５の第１及び第２側壁１２６，１２６の固定ヒンジ軸収容ホール１３８，１３８’の精度などで加工及び組立誤差が発生しても，第１及び第２ホルダ１３１，１３１’の流動ヒンジ軸１３５，１３５’が流動ヒンジ軸収容ホール１３９，１３９’内で前後回動及び上下方向に自由に変位されるのみならず，第１及び第２ホルダ１３１，１３１’と別個で形成された第１及び第２ホルダ流動装置１３２，１３２’の固定ヒンジ軸１３７，１３７’についてさらに回動変位できるので，本実施形態の接触式イメージセンサ取付装置１３０，１３０’は，加工及び組立誤差にいずれの影響を受けず，接触式イメージセンサ１２３とホワイトローラ１１９の左右圧力を均一に維持させる。
【００４１】
以上のように構成された本実施形態の事務用機器の接触式イメージセンサ取付装置１３０，１３０’の作用を図４及び図５に基づいて説明する。
【００４２】
図１と関連して説明した通り，原稿Ｄが供給ローラ１４’によりスキャナ１８側に搬送されてくると，原稿Ｄは，ホワイトローラ１１９の回転力ｆにより接触式イメージセンサ１２３の感知ガラス面と接触しつつ移動する。
【００４３】
この際，原稿Ｄに働くホワイトローラ１１９の回転力ｆは，図４に示した通り，力ｆ１とｆ２に左右分散され第１及び第２弾性バネ１４５，１４５’に対抗して接触式イメージセンサ１２３の感知ガラス面に働く。
【００４４】
このように接触式イメージセンサ１２３の感知ガラス面が力ｆ１とｆ２を受ければ，接触式イメージセンサ１２３は，左右端部のそれぞれが第１及び第２ホルダ１３１，１３１’の流動ヒンジ軸１３５，１３５’により流動ヒンジ軸収容ホール１３９，１３９’の範囲内で前後回動及び上下方向に自由に変位できるので，接触式イメージセンサ１２３の左右端部は，前後上下方向の力の不均衡を発生せず，常に均一にホワイトローラ１１９の表面と密着される。
【００４５】
この際，瞬間的に力ｆ１，ｆ２，または二つの力の両方が流動ヒンジ軸１３５，１３５’の流動ヒンジ軸収容ホール１３９，１３９’の変位範囲以上に働いても，第１及び第２ホルダ１３１，１３１’の流動ヒンジ軸１３５，１３５’が第１及び第２ホルダ流動装置１３２，１３２’の固定ヒンジ軸１３７，１３７’によりさらに回動変位できるようヒンジされているので，接触式イメージセンサ１２３の左右端部は，力の不均衡を発生せずホワイトローラ１１９の左右端部の表面と均一に密着される。
【００４６】
このように接触式イメージセンサ１２３がホワイトローラ１１９と均一な接触圧力と読取位置を保持しつつ原稿Ｄのデータに対する読取を完了すれば，原稿Ｄは，排出部２１により機器の外部に排出される。
【００４７】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００４８】
【発明の効果】
以上述べた通り，本発明に係る接触式イメージセンサ取付装置は，接触式イメージセンサについて働く弾性バネの弾性力に対抗してホルダが自由に変位できるようにするためのホルダ流動装置を備えるので，接触式イメージセンサとホワイトローラとの均一な密着力を維持し安定した読取位置を保持できる効果を奏でる。
【図面の簡単な説明】
【図１】図１は，一般のスキャニング装置の概念図である。
【図２】図２は，従来の接触式イメージセンサ取付装置を使って接触式イメージセンサを取付けた状態を例示する平面図である。
【図３】図３は，図２の線Ａ−Ａに沿って取った側断面図である。
【図４】図４は，本発明の第１の実施の形態による接触式イメージセンサ取付装置を使って接触式イメージセンサを取付けた状態を例示する平面図である。
【図５】図５は，図４の線Ｂ−Ｂに沿って取った側断面図である。
【符号の説明】
１０　　スキャニング装置
１３　　原稿自動搬送部
１８　　スキャナ
１９，１１９　　ホワイトローラ
２１　　排出部
２３，１２３　　接触式イメージセンサ
２５，１２５　　フレーム
３０，３０’，１３０，１３０’　　取付装置
３２，３２’，１３１，１３１’　　ホルダ
３５，３５’，１４５，１４５’　　弾性バネ
４１，４１’，１４１，１４１’　　フック部材
４２，４２’，１４２，１４２’　　収容溝
１３２，１３２’　　ホルダ流動装置
１３３，１３６　　ヒンジ
１４０，１４０’　　ヒンジブラケット
【図１】
2004007645.tif 000003
【図２】
2004007645.tif 000004
【図３】
2004007645.tif 000005
【図４】
2004007645.tif 000006
【図５】
2004007645.tif 000007